(57)【要約】【課題】複数台を近接して配置し、リモコンや人感センサからの信号に基づいて照明をする場合に、個々の照明器具を制御して、省エネを図ることができる照明器具を提供する。【解決手段】商用電源５１に接続された電源端子２１を介して供給された電力によって発光部２２を駆動させる際に、受信部２４が受けた器具本体２０の外部からの非接触信号３１の信号強度、および近接して設けられている他の照明器具５３から信号線５４を介して送られてくる信号の信号強度を記憶部２５に記憶する。そして、信号処理部２６が、信号強度に基づいて発光部２２に供給すべき電力値を決定し、決定された電力値を信号端子２３に接続された信号線５４を介して他の照明器具５３に送信するとともに、他の照明器具５３からの電力値を受信する。電源制御部２７は、決定された電力値に基づいて発光部２２に電力を供給して発光部２２を駆動させる。【選択図】図１
2011175782.tif 000002
【特許請求の範囲】
【請求項１】
器具本体と、
電力線が接続可能な電源端子と、
前記電源端子から供給される電力により駆動される発光部と、
他の照明器具の信号線が接続可能な信号端子と、
前記器具本体の外部から非接触信号を受け入れる受信部と、
前記受信部が受け入れた前記非接触信号の信号強度を記憶するとともに、前記他の照明器具から受信した他の信号強度を記憶する記憶部と、
前記信号強度に基づいて、前記発光部に供給する電力値を決定するとともに、前記信号線を介して前記電力値を前記他の照明器具に送信し、かつ、前記他の照明器具の電力値を受信する信号処理部と、
前記電力値に基づいて前記電源端子から前記発光部に供給される電力を制御する電源制御部と、を備えることを特徴とする照明器具。
【請求項２】
請求項１に記載の照明器具であって、
前記信号処理部が、最新の信号強度と前記記憶部に記憶された信号強度と比較し、
前記最新の信号強度が強いときに、前記非接触信号が前記器具本体に向けられていると判定する照明器具。
【請求項３】
請求項１に記載の照明器具であって、
前記信号処理部が、最新の信号強度と前記記憶部に記憶された信号強度と比較し、
前記最新の信号強度が強いときに、あらかじめ設定された動作を行う照明器具。
【発明の詳細な説明】
【技術分野】
【０００１】
本発明は、リモコンやセンサを用いて調光する照明器具に関するものである。
【背景技術】
【０００２】
従来より、リモコンやセンサを用いて調光できる照明器具がある（例えば特許文献１参照）。
図６に基づいて、特許文献１に記載されている従来の照明器具について説明する。
図６に示すように、特許文献１に記載の照明器具１００は、例えば天井に取り付けられ光源を有する発光部１０１と、照度センサ１０２と、ワイヤレスリモコン１０４と、発光部１０１を制御するコントローラ１０３を有している。
【０００３】
コントローラ１０３は、自動制御モードにおいては、照度センサ１０２からのセンサ信号に基づいて、発光部１０１に調光制御信号を送ることで照射空間の照度が一定となるように制御する。すなわち、コントローラ１０３は、照度センサ１０２からのセンサ信号と、メモリにあらかじめ設定された目標レベルとを比較し、その比較結果に基づいてセンサ信号が少ない場合は、照明器具１００を明るくするために、制御信号のレベルを明るくする。また、逆に比較結果からセンサ信号が大きい場合は、照明器具１００を暗くするために、制御信号のレベルを暗くする。
【０００４】
また、コントローラ１０３は、マニュアルモードにおいては、ワイヤレスリモコン１０４からの信号に基づいて、発光部１０１を制御する。すなわち、コントローラ１０３と照度計にて計測される照度データを送信する機能を設けたワイヤレスリモコン１０４を使用して、コントローラ１０３のゲイン調整時に、ワイヤレスリモコン１０４から照度データをコントローラ１０３に送信し、照度センサ１０２の出力電圧と対応させて照度の補正を行い目標照度となるように制御する。
【先行技術文献】
【特許文献】
【０００５】
【特許文献１】特開平１１−２１４１７９号公報（第１図）
【発明の概要】
【発明が解決しようとする課題】
【０００６】
しかしながら、前述したような従来の照明器具１００においては、リモコン１０４からの信号がある程度の照射角で照射されるため、近傍に複数の器具が設置されている場合、複数の照明器具１００が同時に信号を受信してしまい、リモコン１０４を用いて個々の照明器具を制御するのが困難であるという問題があった。
また、人感センサを有する照明器具を複数台連結して、人感センサと連動させて連携して照明する場合、人の所在に関係なく複数台の照明器具が同じ明るさで点灯するため、電力を無駄に消費するという問題があった。
【０００７】
本発明は、従来の問題を解決するためになされたもので、複数台を近接して配置し、リモコンや人感センサからの信号に基づいて照明をする場合に、個々の照明器具を制御して、省エネを図ることができる照明器具を提供することを目的とする。
【課題を解決するための手段】
【０００８】
本発明の照明器具は、器具本体と、電力線が接続可能な電源端子と、電源端子から供給される電力により駆動される発光部と、他の照明器具の信号線が接続可能な信号端子と、器具本体の外部から非接触信号を受け入れる受信部と、受信部が受け入れた非接触信号の信号強度を記憶するとともに、他の照明器具から受信した他の信号強度を記憶する記憶部と、信号強度に基づいて、発光部に供給する電力値を決定するとともに、信号線を介して電力値を他の照明器具に送信し、かつ、他の照明器具の電力値を受信する信号処理部と、電力値に基づいて電源端子から発光部に供給される電力を制御する電源制御部と、を備えた構成を有している。
【０００９】
また、本発明の照明器具は、信号処理部が、最新の信号強度と記憶部に記憶された信号強度と比較し、最新の信号強度が強いときに、非接触信号が器具本体に向けられていると判定する構成を有している。
【００１０】
さらに、本発明の照明器具は、信号処理部が、最新の信号強度と記憶部に記憶された信号強度と比較し、最新の信号強度が強いときに、あらかじめ設定された動作を行う構成を有している。
【発明の効果】
【００１１】
本発明によれば、近接して設けられている他の照明器具の明るさを考慮した明るさに設定でき、個々の照明器具を制御して、省エネを図ることができるという効果を有する照明器具を提供できる。
【図面の簡単な説明】
【００１２】
【図１】本発明に係る第１実施形態の照明器具の構成を示すブロック図
【図２】（Ａ）は本照明器具および他の照明器具の連携を示す概略構成図、（Ｂ）はＤＣ電源を用いた場合を示す概略構成図
【図３】本照明器具の動作を示すフローチャート
【図４】本発明に係る第２実施形態の照明器具の構成を示すブロック図
【図５】本照明器具および他の照明器具の連携を示す概略構成図
【図６】従来の照明器具の使用状態を示す説明図
【発明を実施するための形態】
【００１３】
（第１実施形態）
以下、本発明の第１実施形態の照明器具について、図面を用いて説明する。
図１に示すように、本発明に係る第１実施形態の照明器具１０はリモコン３０によって操作できるものであり、例えば被取付部である天井等（図示省略）に取り付けられる器具本体２０を有している。器具本体２０の内部には、電源端子２１、発光部２２、信号端子２３、受信部２４、記憶部２５、信号処理部２６、電源制御部２７等を有する。図２に示すように、照明器具１０は、連携して駆動（点灯）するように他の照明器具５３（ここでは、例えば２個の照明器具１１、１２）とともに設けられている。
【００１４】
図１に示すように、電源端子２１は、商用電源５１の電力線５２が接続されて電力の供給を受け、この電力を電源制御部２７に供給する。交流（ＡＣ）の商用電源５１が一般的であるが、直流（ＤＣ）の商用電源を用いてもよい。
発光部２２は、電源制御部２７から供給される電力により駆動される光源を有する。光源は、例えば蛍光灯やＬＥＤ等を用いることができる。
【００１５】
信号端子２３は、連携して駆動するように設けられている他の照明器具５３の信号線５４が接続され、受けた信号を信号処理部２６に伝達したり、信号処理部２６からの信号を信号線５４を介して他の照明器具５３に送信する。なお、信号線５４として、新たに配線したものを用いることができるが、既に配線されている電力線を用いたＰＬＣ（Power Line Communication)を採用することもできる。また、ＤＣ電源を用いた場合、図２（Ｂ）に示すように、電力と後述する信号をおなじ配線で送ることができる。
【００１６】
受信部２４は、器具本体２０の外部にあるリモコン３０から、非接触信号である赤外線信号３１を受け入れて、信号処理部２６に信号を伝達する。なお、非接触信号としては、この他、電波や超音波等を用いるものであってもよい。
記憶部２５は、受信部２４が受け入れた赤外線信号３１の信号強度や、他の照明器具５３から受信した他の信号強度を記憶する。また、照明器具１０の設定内容を予め記憶しておく。記憶されているデータ等は、適宜信号処理部２６に読み込まれる。
【００１７】
信号処理部２６は、受信した信号の強度（最新の信号強度）を求めて記憶部２５に記憶するとともに、受信部２４が受信した信号に基づいて記憶部２５に記憶されている設定の処理を行い、発光部２２に送るべき電力値を決定して、電源制御部２７に送る。また、信号端子２３に接続されている信号線５４を介して、最新の信号強度および電力値を他の照明器具５３へ送信する。また、信号処理部２６は、最新の信号強度と記憶部に記憶された他の照明器具５３の信号強度とを比較して、最新の信号強度が強いときは、リモコン３０からの赤外線信号３１がこの照明器具１０に向けられていると判定する。
電源制御部２７は、信号処理部２６から送られてくる電力値に基づき、電源端子２１から発光部２２に供給される電力を制御して発光部２２に所定の電力を供給する。
【００１８】
次に、リモコン３０による操作について説明する。
図２（Ａ）に示すように、３台の照明器具１０、１１、１２が連携して駆動するように設けられた場合を例として説明する。各照明器具１０、１１、１２は、各々独自に前述した機能を有しており、親子の関係なく、同等に動作するので、ここでは照明器具１０の動作について説明する。
【００１９】
リモコン３０により直接操作しようとする照明器具１０がリモコン３０に最も近く、照明器具１１および照明器具１２は順に遠くなる。従って、受信されるリモコン３０からの赤外線信号３１の信号強度は、照明器具１０がもっとも強く、照明器具１１および照明器具１２は順に弱くなり、照明器具１２が最も弱い。
【００２０】
図３に示すように、受信部２４がリモコン３０からの赤外線信号３１を受信する（ステップＳＡ１）と、信号を信号処理部２６に伝達する。信号処理部２６では、送られてきた信号の強度（最新の信号強度）を求め（ステップＳＡ２）、記憶部２５に記憶する（ステップＳＡ３）。得られた最新の信号強度は、信号線５４を介して他の照明器具１１、１２に送信され、他の照明器具５３において得られた信号強度は、信号線５４を介して本照明器具１０に伝達されて記憶部２５に記憶される（ステップＳＡ４）。
【００２１】
信号処理部２６は、得られた最新の信号強度と記憶部２５に記憶された他の照明器具５３の信号強度と比較し（ステップＳＡ５）、最新の信号強度が強いときには、赤外線信号３１がこの照明器具１０に向けられていると判定して（ステップＳＡ６）、記憶部２５に記憶されている本照明器具１０に対する設定に基づいて電力値を決定する（ステップＳＡ７）。例えば、赤外線信号３１が向けられていると判定された照明器具１０の電力値を所定の最高値とし、２番目に信号強度が強い照明器具１１の電力値を５０％、最も信号強度が弱い照明器具１２の電力値を２５％に設定する。
【００２２】
一方、ステップＳＡ５において赤外線信号３１がこの照明器具１０に向けられていないと判定された場合（ステップＳＡ８）には、予め設定されて記憶部２５に記憶されているプログラムに従って、リモコン３０の対象ではない照明器具としての電力値を決定する（ステップＳＡ９）。例えば、照明器具１１に赤外線信号３１が向けられていると判定された場合、照明器具１０の電力値を所定の最高値５０％とし、照明器具１１の電力値を１００％、最も信号強度が弱い照明器具１２の電力値を２５％に設定する。
【００２３】
以上、説明した第１実施形態の照明器具１０によれば、商用電源５１に接続された電源端子２１を介して供給された電力によって発光部２２を駆動させる際に、受信部２４が受けた器具本体２０の外部からの赤外線信号３１の信号強度、および近接して設けられている他の照明器具１１、１２から信号線５４を介して送られてくる信号の信号強度を記憶部２５に記憶する。そして、信号処理部２６が、信号強度に基づいて発光部２２に供給すべき電力値を決定し、決定された電力値を電源制御部２７に送るとともに信号端子２３に接続された信号線５４を介して他の照明器具１１、１２に送信する。また、他の照明器具１１、１２からの電力値を受信する。電源制御部２７は、決定された電力値に基づいて発光部２２に電力を供給して発光部２２を駆動させるので、近接して設けられている他の照明器具１１、１２の明るさ考慮した明るさに設定することができ、個々の照明器具１０、１１、１２を制御して、省エネを図ることができる。
【００２４】
また、信号処理部２６は、最新の信号強度と記憶部２５に記憶された他の照明器具１１、１２の信号強度と比較し、最新の信号強度が強いときに、赤外線信号３１がこの照明器具１０に向けられていると判定するので、近接して複数の照明器具１１、１２が設けられている場合でも、動作させたい照明器具１０をリモコンで容易に操作できる。
【００２５】
さらに、信号処理部２６が、最新の信号強度と記憶部２５に記憶された他の照明器具１１、１２の信号強度と比較して、最新の信号強度が強いときに、あらかじめ設定された動作を行う。
【００２６】
（第２実施形態）
次に、本発明に係る第２実施形態の照明器具１０Ｂを図４に示す。なお、前述した第１実施形態にかかる照明器具１０と共通する部位には同じ符号を付して、重複する説明を省略することとする。
図４に示すように、本発明に係る第２実施形態の照明器具１０Ｂは、人感センサ４０が人Ｍを検知することにより、所定の動作を行うものである。図５に示すように、照明器具１０Ｂは、連携して駆動（点灯）するように他の照明器具５３Ｂ（ここでは、例えば２個の照明器具１１Ｂ、１２Ｂ）とともに設けられている。
【００２７】
人感センサ４０は、器具本体２０の下面に下向きに取り付けられており、受信部２４Ｂに接続されている。すなわち、人Ｍが発する赤外線信号４１を人感センサ４０が検知して、受信部２４Ｂに人Ｍの存在を伝達する。受信部２４Ｂは、非接触信号である赤外線信号４１を受け入れて、信号処理部２６に信号を伝達する。
【００２８】
記憶部２５は、受信部２４Ｂが人感センサ４０から受け入れた赤外線信号４１の信号強度や、他の照明器具５３Ｂ（１１Ｂ、１２Ｂ）から受信した他の信号強度を記憶する。また、照明器具１０Ｂの設定内容を予め記憶しておく。記憶されているデータ等は、適宜信号処理部２６に読み込まれる。
【００２９】
信号処理部２６は、受信した信号の強度（最新の信号強度）を求めて記憶部２５に記憶するとともに、発光部２２に送るべき電力値を決定して、電源制御部２７に送る。また、信号端子２３に接続されている信号線５４を介して、最新の信号強度および電力値を他の照明器具５３へ送信する。さらに、信号処理部２６は、最新の信号強度と記憶部に記憶された他の照明器具５３の信号強度とを比較して、最新の信号強度が強いときは、本照明器具１０Ｂが人Ｍに最も近い位置にあると判定する。
【００３０】
次に、人Ｍを感知した際の照明器具１０Ｂの動作について説明する。
図５に示すように、３台の照明器具１０Ｂ、１１Ｂ、１２Ｂが連携して駆動するように設けられた場合を例として説明する。
この場合、照明器具１０Ｂが最も人Ｍに近く、照明器具１１Ｂおよび照明器具１２Ｂは順に遠くなる。従って、受信される人Ｍからの赤外線信号４１の信号強度は、照明器具１０Ｂがもっとも強く、照明器具１１Ｂおよび照明器具１２Ｂは順に弱くなり、照明器具１２Ｂが最も弱い。
【００３１】
この結果に基づき、例えば、人Ｍに最も近い照明器具１０Ｂを１００％の電力値で点灯させて人Ｍの周囲を明るくし、他の照明器具１１Ｂ、１２Ｂを３０％の電力値で点灯させるようにする。このとき、照明器具１１Ｂ、１２Ｂはまだ人Ｍを検知していなくても点灯させて、人Ｍの移動を容易にすることもできる。また、他の照明器具１１Ｂ、１２Ｂを、信号強度の大きさによって変えて点灯させることもできる。
なお、人Ｍの動きによって最も近い照明器具が移動し、この移動に伴って各照明器具の明るさも移動するので、常に人Ｍの周りを明るくすることができる。
【００３２】
以上、説明した本発明に係る第２実施形態の照明器具１０Ｂによれば、人感センサ４０が受けた赤外線信号４１の信号強度（最新の信号強度）、および近接して設けられている他の照明器具１１Ｂ、１２Ｂから信号線５４を介して送られてくる信号の信号強度を記憶部２５に記憶する。そして、信号処理部２６が、信号強度に基づいて発光部２２に供給すべき電力値を決定し、決定された電力値を電源制御部２７に送るとともに信号端子２３に接続された信号線５４を介して他の照明器具１１Ｂ、１２Ｂに送信する。また、他の照明器具１１Ｂ、１２Ｂからの電力値を受信する。電源制御部２７は、決定された電力値に基づいて発光部２２に電力を供給して発光部２２を駆動させるので、近接して設けられている他の照明器具１１Ｂ、１２Ｂの明るさ考慮した明るさに設定することができ、個々の照明器具１０Ｂ、１１Ｂ、１２Ｂを制御して、省エネを図ることができる。
【００３３】
さらに、信号処理部２６が、最新の信号強度と記憶部２５に記憶された他の照明器具１１Ｂ、１２Ｂの信号強度と比較して、最新の信号強度が強いときに、あらかじめ設定された動作を行う。
【００３４】
なお、本発明の照明器具は、前述した各実施形態に限定されるものでなく、適宜な変形，改良等が可能である。
【符号の説明】
【００３５】
１０  照明器具
１１、１２  他の照明器具
２０  器具本体
２１  電源端子
２２  発光部
２３  信号端子
２４  受信部
２５  記憶部
２６  信号処理部
２７  電源制御部
３１、４１  赤外線信号（非接触信号）
５２  電力線
５３  他の照明器具
５４  信号線
【図１】
2011175782.tif 000003
【図２】
2011175782.tif 000004
【図３】
2011175782.tif 000005
【図４】
2011175782.tif 000006
【図５】
2011175782.tif 000007
【図６】
2011175782.tif 000008